(57)【要約】【課題】痴漢行為か否かの判断がつきにくい場合でも、比較的気兼ねなく使用できる警告音発生器を提供すること。【解決手段】ケーシング１内部に、警告音発生回路４及びこれを駆動するための電池５を備えており、前記ケーシング１に設けたスイッチＳ１のＯＮ操作により、警告音発生回路４の出力部から発せられる警告音が、時間の経過に伴って小音量から大音量に変化していくようにしてある。ケーシング１には、第２スイッチＳ２を備えてあり、当該第２スイッチＳ２のＯＮ操作により、当初から大音量の警告音が警告音発生回路４の出力部から発せられるようになっている。【選択図面】図４
0003116460.tif 000002
【実用新案登録請求の範囲】
【請求項１】
ケーシング内部に、警告音発生回路及びこれを駆動するための電池を備えており、前記ケーシングに設けたスイッチのＯＮ操作により、警告音発生回路の出力部から発せられる警告音が、時間の経過に伴って小音量から大音量に変化していくようにしてあることを特徴とする警告音発生器。
【請求項２】
ケーシングには、第２スイッチを備えてあり、当該第２スイッチのＯＮ操作により、当初から大音量の警告音が警告音発生回路の出力部から発せられるようになっていることを特徴とする請求項１記載の警告音発生器。
【請求項３】
ケーシングは、警告音発生回路が収納されたケーシング本体と、電池が収容された電池用ケースとから構成されていると共に、前記ケーシング本体に対して電池用ケースはスライド可能に取り付けられており、前記ケーシング本体に対する電池用ケースのスライドにより第２スイッチのＯＮ／ＯＦＦ操作ができるようになっていることを特徴とする請求項２記載の警告音発生器。
【考案の詳細な説明】
【技術分野】
【０００１】
この考案は、警告音発生器、特に満員電車内等での痴漢行為に対して有効に機能する警告音発生器に関するものである。
【背景技術】
【０００２】
近年、満員電車内での痴漢行為が問題となってきており、一定の時間帯において女性専用車両を設けるという対策が採られるようになってきている。
【０００３】
しかしながら、女性専用車両は通常一車両のみであることから満員状態となり、このため女性であっても一般車両に乗るようなことも多い。痴漢はそれを狙って満員である一般車両に出没するが、痴漢行為にあっている女性は恥ずかしさと恐怖心から声を出すことができず、その周囲にいる人が気付かないことがほとんどである。
【０００４】
したがって、女性の間では、痴漢行為にあったときに自身が声を出すことなく、即痴漢を威嚇できると共に周囲の人にそれを気付かせることができる機器が市場に出回ることを待ち望んでいる。
【０００５】
なお、痴漢犯罪はその認定が困難であることから誤認逮捕も多く、このため痴漢行為か否かの判断がつきにくいような場合には、被疑者に対して突然に大きな精神的動揺を与えて弁明の機会を与えなくするような機器でないことが好ましい。
【考案の開示】
【考案が解決しようとする課題】
【０００６】
そこで、この考案では、痴漢行為か否かの判断がつきにくい場合でも、比較的気兼ねなく使用できる警告音発生器を提供することを課題とする。
【０００７】
また、この考案では、明らかに痴漢行為をされている場合には、即痴漢を威嚇できると共に周囲にいる人にそれを気付かせることができる警告音発生器を提供することを課題とする。
【課題を解決するための手段】
【０００８】
（請求項１記載の考案）
この発明の警告音発生器は、ケーシング内部に、警告音発生回路及びこれを駆動するための電池を備えており、前記ケーシングに設けたスイッチのＯＮ操作により、警告音発生回路の出力部から発せられる警告音が、時間の経過に伴って小音量から大音量に変化していくようにしてある。
（請求項２記載の考案）
この発明の警告音発生器は、上記請求項１記載の発明に関し、ケーシングには、第２スイッチを備えてあり、当該第２スイッチのＯＮ操作により、当初から大音量の警告音が警告音発生回路の出力部から発せられるようになっている。
（請求項３記載の考案）
この発明の警告音発生器は、上記請求項２記載の発明に関し、ケーシングは、警告音発生回路が収納されたケーシング本体と、電池が収容された電池用ケースとから構成されていると共に、前記ケーシング本体に対して電池用ケースはスライド可能に取り付けられており、前記ケーシング本体に対する電池用ケースのスライドにより第２スイッチのＯＮ／ＯＦＦ操作ができるようになっている。
【考案の効果】
【０００９】
この考案の警告音発生器によると、痴漢行為か否かの判断がつきにくい場合でも、比較的気兼ねなく使用できる。
【００１０】
また、この考案の警告音発生器によると、明らかに痴漢行為をされている場合に、即痴漢を威嚇できると共に周囲の人にそれを気付かせることができる。
【００１１】
上記効果は以下の考案を実施するための最良の形態の欄で明らかにする。
【考案を実施するための最良の形態】
【００１２】
以下にこの考案の警告音発生器を実施するための最良の形態としての実施例について詳細に説明する。
【００１３】
図１はこの考案の警告音発生器Ｂの外観斜視図、図２は前記警告音発生器Ｂの背面図、図３は前記警告音発生器Ｂの上面図、図４は警告音発生器Ｂに使用されている警告音発生回路４の説明図を示している。
（この警告音発生器Ｂの基本的構成について）
この警告音発生器Ｂは、図１や図４に示すように、直方体形状のケーシング１内に、警告音発生回路４及びこれを駆動するための電池５を内蔵させて成り、スイッチＳ１のＯＮ操作により、小音量から大音量に変化するブザー音（警告音）が発せられ、スイッチＳ２のＯＮ操作により、当初から最大音量のブザー音が発せられるようにしてある。
【００１４】
ケーシング１は、図１〜図３に示すように、警告音発生回路２が収容されたケーシング本体２と、電池５が収容された電池用ケース３とから構成されており、前記ケーシング本体２に対して電池用ケース３は取外し不能に且つスライド可能に取り付けてある。
【００１５】
ここで、この警告音発生器Ｂでは、スイッチＳ１は図３に示すようにケーシング本体２の上面に設けられたボタンを押し込むタイプのものであり、スイッチＳ２は図２の二点鎖線に示すようにケーシング本体２に対して電池用ケース３を少しスライドさせるタイプのものとしてある。
【００１６】
なお、ケーシング本体２の前面部分には浅い凹み部２０を設けてあり、この凹み部２０にキャラクターの絵や綺麗な模様が印刷されたシールを貼り付け得るようにしてある。
（警告音発生回路４及び電池５について）
この警告音発生器Bでは、警告音発生回路４及び電池５は図４に示すように接続されている。図４中、Ｓ１，Ｓ２はスイッチ、Ｒ１，Ｒ２，Ｒ３は抵抗、Ｒ４は電流制限抵抗、Ｄはダイオード、Ｃはコンデンサ、Ｑ１，Ｑ２はＮＰＮ型トランジスタ、ＴＧはＩＣトーンジェネレータ(IC TONE GENERATOR)、ＢＰはブザーピエゾ(BUZZER PIEZO)、Ｌは昇圧トランス、BZはブザーを示している。
【００１７】
この警告音発生器Ｂは上記のような警告音発生回路４を備えているから、スイッチＳ１の押込み操作、スイッチＳ２のスライド操作により、以下のように動作する。
（Ａ）スイッチＳ１を押し込んでＯＮ状態にしたときの動作
(1)抵抗Ｒ１及び抵抗Ｒ３を通してコンデンサＣ１が充電され、当該コンデンサＣ１の電圧が徐々に上昇する。
(2)コンデンサＣ１が充電されるに従って、ＮＰＮ型トランジスタＱ１のベース電圧が徐々に上昇する。
(3) ＮＰＮ型トランジスタＱ１のエミッタ電圧が上昇する。
(4)ＩＣトーンジェネレータＴＧの電源電圧が上昇する。
(5)ＩＣトーンジェネレータＴＧのトーン信号出力電圧が上昇する。
(6) ＮＰＮ型トランジスタＱ２に流れるトーン信号電流が増大し、ブザーＢＺが発するブザー音は小音量から大音量に変化する。
（Ｂ）スイッチＳ１の押し込みをやめてＯＦＦ状態にしたときの動作
(1) コンデンサＣ１が充電されていた電圧がダイオードＤを通してＮＰＮ型トランジスタＱ１及び抵抗Ｒ２により急激に放電される。
(2) ＩＣトーンジェネレータＴＧの電源電圧も急激に低下してトーン信号を停止し、ブザーＢＺが発するブザー音は停止する。
（Ｃ）スイッチＳ２をＯＮ状態にしたとき
ＩＣトーンジェネレータＴＧの電源に直接電池５が接続され、直ちにブザーＢＺから最大音量のブザー音が発せられる。
（Ｄ）回路中に抵抗Ｒ３を入れた効果
抵抗Ｒ３が０オームだとスイッチＳ１を押し込んだとき、ＮＰＮ型トランジスタＱ１のベース電圧は０ＶからスタートするためＩＣトーンジェネレータＴＧが動作可能になる時間がかかってしまう。そのため、電池電圧を抵抗Ｒ１，Ｒ３で分圧し初期電圧を動作可能に電圧にしてスタート時間を短縮できる。
（この警告音発生器Ｂの優れた機能について）
女性は痴漢行為にあったときその恥ずかしさと恐怖心から自身で声を出して助けを求めることができない場合があり、痴漢の被害にあうことがある。
【００１８】
しかしながら、この警告音発生器Ｂを持っていた場合、自身で声を出して助けを求めるのではなく、以下に示すように、スイッチＳ１又はスイッチＳ２をＯＮ状態にするだけでよい。
(1)痴漢行為か否かの判断がつきにくい場合
この場合、スイッチＳ１をON状態にする。すると、小音量のブザー音がブザーＢＺが発せられる。このとき痴漢行為の被疑者はブザーＢＺが発するブザー音が小音量であるのでそれ程大きな精神的動揺を受けず、このため被疑者は痴漢行為をしていないと弁明する余裕がある。よって、無実であることを説明することにより誤認逮捕を回避できることが可能である。痴漢行為が行われていなかった場合、使用者である女性はスイッチＳ１をＯＦＦ状態にしればよい。これにより警告であるブザー音は停止する。よって、この警告音発生器Ｂでは比較的気兼ねなく使用できる。
【００１９】
ここで、被疑者が疑わしき行為をそのまま続けていた場合、時間の経過にともなってブザーＢＺが発するブザー音は大音量となる。これにより、被疑者を威嚇することができると共に、回りの人も痴漢行為に気付くことになる。
【００２０】
(2)確実に痴漢行為である場合
スイッチＳ２をＯＮ状態する。この場合、ブザーＢＺが発するブザー音は直ちに最大音量からはじまる。これにより、すぐに被疑者を威嚇することができると共に、回りの人も痴漢行為に気付くことになる。よって、女性は直ちに痴漢行為から守られることになる。
（その他）
上記実施例１にかえて、スイッチＳ２についても押しボタン方式としてもよい。
【図面の簡単な説明】
【００２１】
【図１】この考案の警告音発生器の外観斜視図。
【図２】前記警告音発生器の背面図。
【図３】前記警告音発生器の上面図。
【図４】前記警告音発生器に使用されている警告音発生回路の説明図
【符号の説明】
【００２２】
B       警告音発生器
Ｓ１    スイッチ
Ｓ１    第２スイッチ
１      ケーシング
２      ケーシング本体
３      電池用ケース
４      警告音発生回路
５      電池
２０    凹み部  
【図１】
0003116460.tif 000003
【図２】
0003116460.tif 000004
【図３】
0003116460.tif 000005
【図４】
0003116460.tif 000006